(57)【要約】【課題】発光素子の光の放射方向だけでなく光の放射方向と反対方向にも発光素子の光を照射可能な光源ユニット及びそれを用いた照明器具を提供する。【解決手段】光源ユニット２は、一面にＬＥＤ２２２が実装されるプリント配線板２２１と、少なくとも一部が透光性を有する材料からなり、プリント配線板２２１を覆うように構成されるカバー２３とを備える。カバー２３は、プリント配線板２２１の実装面２２１１を覆うように配置される覆い部２３１と、プリント配線板２２１の実装面２２１１と平行な方向においてプリント配線板２２１の両側にそれぞれ配置される第１板部２３２及び第２板部２３３とを有する。第１板部２３２及び第２板部２３３の少なくとも一方と覆い部２３１は、透光性を有する材料により形成される。【選択図】図１
2016110704.tif 000002
【特許請求の範囲】
【請求項１】
一面に発光素子が実装される基板と、
少なくとも一部が透光性を有する材料からなり、前記基板を覆うように構成されるカバーとを備え、
前記カバーは、前記基板の実装面を覆うように配置される覆い部と、前記実装面と平行な方向において前記基板の両側にそれぞれ配置される第１板部及び第２板部とを有し、
前記第１板部及び前記第２板部の少なくとも一方と前記覆い部は、透光性を有する材料により形成されることを特徴とする光源ユニット。
【請求項２】
前記第１板部及び前記第２板部の少なくとも一方は、前記覆い部よりも透過率の高い材料により形成されることを特徴とする請求項１記載の光源ユニット。
【請求項３】
前記基板が取り付けられる取付部材を備え、
前記第１板部は、前記実装面と平行な方向における前記取付部材の一端に取り付けられ、前記第２板部は、前記実装面と平行な方向における前記取付部材の他端に取り付けられることを特徴とする請求項１又は２記載の光源ユニット。
【請求項４】
請求項１〜３の何れか１項に記載の光源ユニットと、前記光源ユニットが取り付けられる器具本体とを備えることを特徴とする照明器具。
【発明の詳細な説明】
【技術分野】
【０００１】
本発明は、光源ユニット及びそれを用いた照明器具に関し、より詳細には、発光素子を光源とする光源ユニット及びそれを用いた照明器具に関する。
【背景技術】
【０００２】
従来、天井に直付けされる天井直付け型の照明器具が提供されている（例えば特許文献１参照）。特許文献１に記載された照明器具は、吊ボルトを用いて天井板に取り付けられる器具本体と、器具本体に対して着脱自在に取り付けられる光源ユニットとを備える。また、光源ユニットは、複数のＬＥＤが実装された基板と、基板が取り付けられる取付部材と、基板を覆うようにして取付部材に取り付けられるカバーとを有する。
【０００３】
取付部材は、長尺且つ矩形板状に形成された底面部と、底面部の幅方向における両端から底面部と直交する方向に突出する一対の側面部とでＵ字状に形成されている。カバーは、アクリルなどの透光性を有する材料により長尺状に形成され、基板の前方に配置される曲面部と、曲面部の幅方向における両端から上向きに突出する一対の突壁部とを有する。
【０００４】
この光源ユニットでは、カバーの各突壁部の先端に設けられた突起部を取付部材の対応する側面部の先端に引っ掛けることで、カバーが取付部材に取り付けられる。そして、カバーが取付部材に取り付けられた状態ではカバーにより基板が覆われており、基板上のＬＥＤから放射される光はカバーの曲面部を透過し、下方の照明空間へ照射される。
【先行技術文献】
【特許文献】
【０００５】
【特許文献１】特開２０１４−７８４２２号公報
【発明の概要】
【発明が解決しようとする課題】
【０００６】
上述の特許文献１に示した光源ユニットは、ＬＥＤから放射される光のうち曲面部で反射された光を取付部材の底面部により照明空間側へ反射させる構造であり、そのためＬＥＤの光の放射方向と反対方向を照らすことができなかった。
【０００７】
本発明は上記問題点に鑑みてなされており、発光素子の光の放射方向だけでなく光の放射方向と反対方向にも発光素子の光を照射可能な光源ユニット及びそれを用いた照明器具を提供することを目的とする。
【課題を解決するための手段】
【０００８】
本発明の光源ユニットは、一面に発光素子が実装される基板と、少なくとも一部が透光性を有する材料からなり、前記基板を覆うように構成されるカバーとを備え、前記カバーは、前記基板の実装面を覆うように配置される覆い部と、前記実装面と平行な方向において前記基板の両側にそれぞれ配置される第１板部及び第２板部とを有し、前記第１板部及び前記第２板部の少なくとも一方と前記覆い部は、透光性を有する材料により形成されることを特徴とする。
【０００９】
本発明の照明器具は、上記の光源ユニットと、前記光源ユニットが取り付けられる器具本体とを備えることを特徴とする。
【発明の効果】
【００１０】
本発明の構成によれば、発光素子の光の放射方向だけでなく光の放射方向と反対方向にも発光素子の光を照射可能な光源ユニット及びそれを用いた照明器具を提供することができるという効果がある。
【図面の簡単な説明】
【００１１】
【図１】本発明の実施形態に係る照明器具の一部省略せる断面図である。
【図２】本発明の実施形態に係る光源ユニットの分解斜視図である。
【図３】図３Ａは本発明の実施形態に係る光源ユニットの上面図、図３Ｂは下面図である。
【図４】本発明の実施形態に係る光源ユニットの全体斜視図である。
【図５】本発明の実施形態に係る別の照明器具の正面図である。
【図６】本発明の実施形態に係る別の照明器具の分解斜視図である。
【発明を実施するための形態】
【００１２】
本発明の実施形態に係る光源ユニット及び照明器具について、図面を参照しながら具体的に説明する。ただし、以下に説明する構成は、本発明の一例に過ぎず、本発明は下記の実施形態に限定されない。したがって、この実施形態以外であっても、本発明に係る技術思想を逸脱しない範囲であれば、設計等に応じて種々の変更が可能である。
【００１３】
なお、以下の説明では特に断りがない限り、図４において上下、前後、左右の各方向を規定する。したがって、本実施形態では、光源ユニット２のカバー２３の長手方向が前後方向、カバー２３の幅方向（短手方向）が左右方向、カバー２３の高さ方向が上下方向となる。
【００１４】
本実施形態の照明器具１０Ａは、図１に示すように、器具本体１と、光源ユニット２とを備える。器具本体１は、天井板を通して室内側に露出する吊ボルトに固定され、天井板の下面（天井面）に直付けされる。光源ユニット２は、器具本体１に対して着脱自在に取り付けられる。
【００１５】
器具本体１は、板金に曲げ加工することにより長尺且つ上面（天井板との対向面）が開口する扁平な箱形に形成されている。また、器具本体１は、下面側（天井板と反対側）で且つ前後方向（長手方向）の全長に亘って形成された矩形の凹部１１を有している。さらに、凹部１１の左右方向（幅方向）における両側には、凹部１１の開口端縁から延出し且つ外側に向かって上方へ傾斜する傾斜部１２がそれぞれ設けられている（図１参照）。
【００１６】
光源ユニット２は、図１及び図２に示すように、取付部材２１と、ＬＥＤモジュール２２と、カバー２３と、レンズ２４と、一対のカバーエンド２５と、支持部材２６とを備える。
【００１７】
ＬＥＤモジュール２２は、前後方向に長い矩形板状に形成されたプリント配線板２２１（基板）を有する。プリント配線板２２１の下面には、複数のＬＥＤ２２２（発光素子）が前後方向（長手方向）に沿って実装されている。また、プリント配線板２２１の上面には、プリント配線板２２１に形成された導体によりＬＥＤ２２２との間が電気的に接続されたコネクタ２２３（図３Ａ参照）が実装されている。
【００１８】
取付部材２１は、例えばＡＢＳ樹脂などの合成樹脂による成形品であって、前後方向に長い矩形板状に形成された底壁部２１１と、底壁部２１１の左右方向（幅方向）における両端から下向きに突出する一対の側壁部２１２とを有する。
【００１９】
底壁部２１１には、プリント配線板２２１を取り付けた状態においてコネクタ２２３を露出させる矩形の貫通孔２１１１が設けられている。また、底壁部２１１の上面には、取付部材２１を支持部材２６に引っ掛けて取り付けるための引掛爪２１１２（図３Ａ参照）が前後方向（長手方向）に沿って複数（図３Ａでは３個）設けられている。
【００２０】
各側壁部２１２の先端（下端）には、内向き（互いに近づく向き）に突出する突起部２１２１が一体に形成されている。また、各側壁部２１２の前後方向（長手方向）における両端には、Ｕ字状の差込溝２１２３がそれぞれ設けられている。さらに、後述のカバー２３の第１板部２３２の引掛爪２３２１又は第２板部２３３の引掛爪２３３１が引っ掛けられる引掛溝２１２２が、底壁部２１１から各側壁部２１２に跨るように形成されている。
【００２１】
カバー２３は、例えばアクリル樹脂などの透光性を有する材料により上面が開口する長尺の箱形に形成されており、左右方向において両端側から中央側に近づくほど下側への突出量が大きくなるような凸レンズ形状の覆い部２３１を有している。
【００２２】
覆い部２３１の左右方向における両端には、水平且つ互いに近づく方向に突出する第１板部２３２及び第２板部２３３がそれぞれ一体に形成されている。また、第１板部２３２の先端には、上向きに突出し且つ先端が内向きに突出するＬ字状の引掛爪２３２１が設けられ、第２板部２３３の先端には、同じく上向きに突出し且つ先端が内向きに突出するＬ字状の引掛爪２３３１が設けられている。
【００２３】
さらに、覆い部２３１の左右方向における両端には、覆い部２３１と連なるように外向きに延出する延出部２３４がそれぞれ一体に形成されている。
【００２４】
カバーエンド２５は、カバー２３と同じ材料により半円板状に形成された主部２５１と、主部２５１の一面より主部２５１の厚み方向に突出するリブ２５２とが一体に形成されている。また、主部２５１の一面において上側且つ中央寄りの位置には、主部２５１の厚み方向に突出する抑え部２５３がリブ２５２と連続するように形成されている。
【００２５】
レンズ２４は、例えば透明なガラスにより長尺に形成され、プリント配線板２２１に実装されたＬＥＤ２２２を覆うように配置される円弧状の主部２４１と、主部２４１の左右方向（幅方向）における両端から水平に延出する一対の取付部２４２とを有する。
【００２６】
支持部材２６は、例えば板金に曲げ加工することによりＵ字状に形成され、長尺且つ矩形板状に形成された底壁部２６１と、底壁部２６１の左右方向（幅方向）における両端から上向きに突出する一対の側壁部２６２とを有する。底壁部２６１には、前後方向（長手方向）に沿って形成された複数（図３Ａでは３個）の貫通孔２６１１と、ＬＥＤモジュール２２のコネクタ２２３を露出させる矩形の貫通孔２６１２とが設けられている。
【００２７】
ここで、この支持部材２６は、左右方向（幅方向）における一端側に取り付けられた引掛金具と、左右方向における他端側に取り付けられた引掛ばねとを有しており、これらの引掛金具及び引掛ばねにより器具本体１に取り付けられる。なお、器具本体１への取付方向については後述する。
【００２８】
次に、光源ユニット２の組立手順について具体的に説明する。
【００２９】
まず最初に、作業者は、取付部材２１の底壁部２１１の下面にプリント配線板２２１を載置し、底壁部２１１の一部を熱変形させてプリント配線板２２１を底壁部２１１に熱かしめする。このとき、プリント配線板２２１の上面に実装されたコネクタ２２３は、底壁部２１１に設けられた貫通孔２１１１を通して上側に露出する。
【００３０】
次に、作業者は、取付部材２１に対して前後方向（長手方向）からレンズ２４をスライドさせて、レンズ２４を取付部材２１に取り付ける。このとき、レンズ２４は、図１に示すように、取付部材２１の各側壁部２１２の突起部２１２１に各取付部２４２が接触した状態で取付部材２１に仮保持される。
【００３１】
さらに、作業者は、取付部材２１に対して前後方向からカバー２３をスライドさせて、カバー２３を取付部材２１に取り付ける。このとき、カバー２３の引掛爪２３２１，２３３１がそれぞれ取付部材２１の引掛溝２１２２に引っ掛けられ、これによりカバー２３が取付部材２１に取り付けられる。
【００３２】
その後、作業者は、取付部材２１に取り付けられたカバー２３の前後方向における両端をカバーエンド２５によりそれぞれ塞ぐ。このとき、カバーエンド２５のリブ２５２がカバー２３の端部（覆い部２３１、第１板部２３２及び第２板部２３３の端部）の内側に嵌め込まれることにより、カバーエンド２５がカバー２３に取り付けられる。
【００３３】
またこのとき、取付部材２１の各側壁部２１２に設けられた差込溝２１２３に抑え部２５３が差し込まれ、これにより取付部材２１が前後方向（長手方向）に位置決めされる。さらにこのとき、取付部材２１の各側壁部２１２の突起部２１２１とカバーエンド２５の抑え部２５３とでレンズ２４の取付部２４２を上下方向から挟み込み（図１参照）、これにより取付部材２１に対してレンズ２４が固定される。なお、カバー２３とカバーエンド２５は、接着剤で接着されるのが好ましい。
【００３４】
そして最後に、作業者は、取付部材２１の底壁部２１１の上面に設けられた各引掛爪２１１２を、支持部材２６の底壁部２６１の対応する貫通孔２６１１に挿通し、支持部材２６に対して取付部材２１を前方にスライドさせる。これにより、各引掛爪２１１２が対応する貫通孔２６１１の開口端縁に引っ掛かり、取付部材２１が支持部材２６に取り付けられる。以上の手順により、光源ユニット２が組み立てられる（図３Ａ、図３Ｂ及び図４参照）。
【００３５】
続けて、照明器具１０Ａの施工手順について具体的に説明する。
【００３６】
まず最初に、施工者は、天井板を通して室内側に露出する吊ボルトを器具本体１の凹部１１の底壁部に設けられた第１孔に通した後、吊ボルトにナットをねじ込んで器具本体１を吊ボルトに固定する。またこのとき、施工者は、天井板を通して室内側に露出する電源線を凹部１１の底壁部に設けられた第２孔に通す。
【００３７】
さらに、施工者は、凹部１１の底壁部に取り付けられた端子台に上記電源線を接続するとともに、端子台より引き出されたリード線の先端に設けられたコネクタを光源ユニット２のＬＥＤモジュール２２のコネクタ２２３に接続する。
【００３８】
その後、施工者は、凹部１１の左右方向における一端側の側壁部に設けられた引掛孔に上記引掛金具の先端を引っ掛けた後、凹部１１の左右方向における他端側の側壁部に設けられた引掛部に上記引掛ばねを引っ掛ける。
【００３９】
そして、この状態から、施工者が引掛金具を支点として光源ユニット２を持ち上げるように回転させると、引掛ばねが引掛部に引っ掛かったままで元の状態に戻ることにより、引掛ばねのばね力で光源ユニット２が器具本体１に保持される。以上の手順により、照明器具１０Ａが天井に施工される（図１参照）。
【００４０】
図１は本実施形態の照明器具１０Ａを天井に取り付けた状態の一部省略せる断面図である。天井に取り付けられた照明器具１０Ａに対して電源が供給されると、ＬＥＤモジュール２２のＬＥＤ２２２が点灯する。
【００４１】
ＬＥＤ２２２から放射された光は、前方（下方）に配置されたレンズ２４の主部２４１を透過し、カバー２３の覆い部２３１へと向かう。そして、覆い部２３１へ向かった光のうち覆い部２３１を透過した光は下方の照明空間へと照射される。つまり、この光によって室内を照明することができる。
【００４２】
一方、覆い部２３１へ向かった光のうち覆い部２３１の内面で反射した光は、その一部が第１板部２３２及び第２板部２３３を透過するとともに、残りが第１板部２３２及び第２板部２３３により下方に反射される。さらに、第１板部２３２及び第２板部２３３を透過した光の一部は、支持部材２６の底壁部２６１により下方へ反射される。
【００４３】
ところで、本実施形態の照明器具１０Ａでは、図１に示すように、左右方向において器具本体１の各傾斜部１２と光源ユニット２のカバー２３との間に隙間１０１があり、第１板部２３２及び第２板部２３３を透過した光の一部が隙間１０１より上向きに照射される。これにより、器具本体１の各傾斜部１２及び器具本体１の周囲の天井面を照らすことができる。
【００４４】
つまり、本実施形態の照明器具１０Ａによれば、ＬＥＤ２２２から放射される光を、ＬＥＤ２２２の光の放射方向（下方）だけでなく、光の放射方向と反対方向（上方）にも照射することができる。
【００４５】
ここで、カバー２３の第１板部２３２及び第２板部２３３を形成する材料として、覆い部２３１よりも透光率の高い材料を使用し、所謂二色成形によりカバー２３を成形するのが好ましい。これにより、ＬＥＤ２２２の光の放射方向と反対方向、すなわち上方への照射光量を増加させることができる。
【００４６】
また、図１に示すように、第１板部２３２及び第２板部２３３と取付部材２１とを、左右方向における端部同士で結合させた場合には、第１板部２３２及び第２板部２３３を透過する光が取付部材２１により遮られにくくなる。その結果、ＬＥＤ２２２の光の放射方向と反対方向への照射光量が低下しにくくなるという利点がある。
【００４７】
上述の実施形態では、天井に直付けされる天井直付け型の照明器具１０Ａを例に説明したが、図５及び図６に示すように、天井から吊り下げられる天井吊り下げ型の照明器具１０Ｂであってもよい。以下、具体的に説明する。
【００４８】
照明器具１０Ｂは、図５及び図６に示すように、光源ユニット２と、支持体３とを備える。支持体３は、天井板１００に取り付けられた引掛シーリング４に電気的に接続され且つ機械的に保持される。光源ユニット２は、支持体３に取り付けられ、支持体３を介して天井から吊り下げられる。なお、光源ユニット２については、上述の実施形態と同様であるから、ここでは詳細な説明を省略する。
【００４９】
支持体３は、取付部３１と、支持部３２と、接続部３３とを有する。
【００５０】
取付部３１は、長尺且つ矩形板状の底板３１１と、底板３１１の幅方向における両端から下向きに突出する一対の第１側板３１２と、底板３１１の長手方向における両端から下向きに突出する一対の第２側板３１３とで下面が開口する箱形に形成されている。そして、底板３１１の中央には、上下方向に長い円管状に形成された支持部３２が底板３１１を貫通させた状態で取り付けられている。
【００５１】
支持部３２の上端には、円筒状に形成されたケース３３１を有する接続部３３が取り付けられている。ケース３３１の上面からは、引掛シーリング４のケース４１内に収納された刃受けに引っ掛けられる栓刃が露出しており、この栓刃を刃受けに引っ掛けることで接続部３３が引掛シーリング４に電気的に接続され且つ機械的に保持される。
【００５２】
また、接続部３３の栓刃には、先端にコネクタが取り付けられたリード線が電気的に接続されており、このリード線は、支持部３２の管内を通り、取付部３１の底板３１１の下面側に露出している。そして、リード線のコネクタをＬＥＤモジュール２２のコネクタ２２３に接続することにより、引掛シーリング４を介してＬＥＤモジュール２２に電源が供給される。
【００５３】
この照明器具１０Ｂでは、例えば支持体３の取付部３１と光源ユニット２の支持部材２６とをねじにより締結することで、支持体３と光源ユニット２とが一体に組み付けられる。そして、支持体３の接続部３３の栓刃を引掛シーリング４の刃受けに引っ掛けることで、照明器具１０Ｂが引掛シーリング４に電気的に接続され且つ機械的に保持される（図５参照）。ここに、本実施形態では、支持体３により器具本体が構成される。
【００５４】
図５に示すように、照明器具１０Ｂを天井から吊り下げた状態では、ＬＥＤ２２２から放射された光のうちカバー２３の覆い部２３１により上向きに反射された光が、カバー２３の第１板部２３２及び第２板部２３３を透過し、上方へと照射される。これにより、天井面を照らすことができ、照明器具１０Ｂを間接照明として利用することができる。
【００５５】
つまり、本実施形態においても、ＬＥＤ２２２の光の放射方向だけでなく、光の放射方向と反対方向にもＬＥＤ２２２の光を照射可能な光源ユニット２及び照明器具１０Ｂを提供することができる。
【００５６】
なお、本実施形態では、第１板部２３２及び第２板部２３３の両方を透光性材料により形成したが、少なくとも一方を透光性材料により形成すればよく、本実施形態に限定されない。また、本実施形態では、ＬＥＤ２２２を発光素子としたが、例えば有機ＥＬなどを発光素子としてもよく、本実施形態に限定されない。
【００５７】
以上説明したように、本実施形態の光源ユニット２は、一面にＬＥＤ２２２（発光素子）が実装されるプリント配線板２２１（基板）と、少なくとも一部が透光性を有する材料からなり、プリント配線板２２１を覆うように構成されるカバー２３とを備える。カバー２３は、プリント配線板２２１の実装面２２１１を覆うように配置される覆い部２３１と、プリント配線板２２１の実装面２２１１と平行な方向においてプリント配線板２２１の両側にそれぞれ配置される第１板部２３２及び第２板部２３３とを有する。第１板部２３２及び第２板部２３３の少なくとも一方と覆い部２３１は、透光性を有する材料により形成される。
【００５８】
上記構成によれば、ＬＥＤ２２２から放射される光のうち覆い部２３１を透過する光によって、ＬＥＤ２２２の光の放射方向を照らすことができる。また、第１板部２３２及び第２板部２３３のうち透光性を有する材料により形成される少なくとも一方を透過する光によって、光の放射方向と反対方向を照らすことができる。つまり、この光源ユニット２によれば、ＬＥＤ２２２の光の放射方向だけでなく光の放射方向と反対方向にもＬＥＤ２２２の光を照射することができる。
【００５９】
また、本実施形態の光源ユニット２のように、第１板部２３２及び第２板部２３３の少なくとも一方は、覆い部２３１よりも透過率の高い材料により形成されるのが好ましい。
【００６０】
上記構成によれば、第１板部２３２及び第２板部２３３の少なくとも一方を覆い部２３１よりも透過率の高い材料により形成することで、ＬＥＤ２２２の光の放射方向と反対方向への照射光量を増加させることができる。
【００６１】
また、本実施形態の光源ユニット２のように、プリント配線板２２１が取り付けられる取付部材２１を備えるのが好ましい。この場合、第１板部２３２は、プリント配線板２２１の実装面２２１１と平行な方向における取付部材２１の一端に取り付けられ、第２板部２３３は、プリント配線板２２１の実装面２２１１と平行な方向における取付部材２１の他端に取り付けられるのが好ましい。
【００６２】
上記構成によれば、第１板部２３２及び第２板部２３３と取付部材２１とが端部同士で結合する構造であるため、第１板部２３２及び第２板部２３３を透過する光が取付部材２１により遮られにくくなる。これにより、ＬＥＤ２２２の光の放射方向と反対方向への照射光量が低下しにくくなる。
【００６３】
本実施形態の照明器具１０Ａは、光源ユニット２と、光源ユニット２が取り付けられる器具本体１とを備えている。
【００６４】
上記構成によれば、上述の光源ユニット２を用いることによって、ＬＥＤ２２２の光の放射方向だけでなく光の放射方向と反対方向にもＬＥＤ２２２の光を照射可能な照明器具１０Ａを提供することができる。
【符号の説明】
【００６５】
１  器具本体
２  光源ユニット
１０Ａ  照明器具
２１  取付部材
２３  カバー
２２１  プリント配線板（基板）
２２２  ＬＥＤ（発光素子）
２３１  覆い部
２３２  第１板部
２３３  第２板部
２２１１  実装面
【図１】
2016110704.tif 000003
【図２】
2016110704.tif 000004
【図３】
2016110704.tif 000005
【図４】
2016110704.tif 000006
【図５】
2016110704.tif 000007
【図６】
2016110704.tif 000008